(57)【要約】  本発明は、光ディスクの再生中にランドプリピット信号を生成する方法および関連する装置であって、ランドプリピット信号を得ることができる出力信号を光検出器から得るステップと、ディスクの読み取り中に生じる高周波クロストーク信号の決定された振幅に応じて前記出力信号をスケーリングし、それにより、ディスク上の１つのマークに対応するものとしてランドプリピット信号が識別されるときに前記出力信号を増大させるとともに、ディスク上の１つの空間に対応するものとしてランドプリピット信号が識別されるときに前記出力信号を減少させるステップとを含む方法および関連する装置を提供する。
2008503020.tif 000002
【特許請求の範囲】
【請求項１】
光ディスクの再生中にランドプリピット（ＬＬＰ）信号を生成する方法であって、前記ランドプリピット信号を得ることができる出力信号を光検出器から得るステップと、前記ディスクの読み取り中に生じる高周波クロストーク信号の決定された振幅に応じて前記出力信号をスケーリングし、それにより、前記ディスク上の１つのマークに対応するものとして前記ランドプリピット信号が識別されるときに前記出力信号を増大させるとともに、前記ディスク上の１つの空間に対応するものとして前記ランドプリピット信号が識別されるときに前記出力信号を減少させるステップとを含む、方法。
【請求項２】
前記出力信号がプッシュプル信号を備える、請求項１に記載の方法。
【請求項３】
前記プッシュプル信号が平衡プッシュプル信号を備える、請求項２に記載の方法。
【請求項４】
前記平衡プッシュプル信号は、ハイパスフィルタリングされたプッシュプル信号とハイパスフィルタリングされた高周波クロストーク信号との間の差から得られる、請求項３に記載の方法。
【請求項５】
ＬＰＰ信号幅変化を補償するためのステップを含む、請求項１から４のいずれか一項に記載の方法。
【請求項６】
前記補償がサンプルレート変換ステップによって達成される、請求項５に記載の方法。
【請求項７】
前記ＬＰＰ信号は、リスケーリングされた出力信号に基づいて重畳ステップにより計算される、請求項１から６のいずれか一項に記載の方法。
【請求項８】
前記重畳ステップがＬＰＰ状のウェーブレットを含む、請求項７に記載の方法。
【請求項９】
前記ＬＰＰ信号の誤り率を計算して、前記出力信号のスケーリングを微調整するように前記誤り率を処理するステップを含む、請求項１から８のいずれか一項に記載の方法。
【請求項１０】
前記誤り率の計算が前記ＬＰＰ信号の前記標準偏差に基づいている、請求項９に記載の方法。
【請求項１１】
光ディスクの再生中にＬＰＰ信号を生成するようになっているＬＰＰ信号処理装置であって、ＬＰＰ信号を得ることができる出力信号を光検出器から得るための手段と、前記ディスクの読み取り中に生じる高周波クロストーク信号の決定された振幅に応じて前記出力信号をスケーリングし、それにより、前記ディスク上の１つのマークに対応するものとしてランドプリピットが識別されるときに前記出力信号を増大させるとともに、ディスク上の１つの空間に対応するものとして前記ランドプリピットが識別されるときに前記出力信号を減少させるための手段とを備える、装置。
【請求項１２】
前記出力信号がプッシュプル信号を備える、請求項１１に記載の装置。
【請求項１３】
前記プッシュプル信号が平衡プッシュプル信号を備える、請求項１２に記載の装置。
【請求項１４】
前記平衡プッシュプル信号は、ハイパスフィルタリングされたプッシュプル信号とハイパスフィルタリングされた高周波クロストーク信号との間の差から得られる、請求項１３に記載の装置。
【請求項１５】
ＬＰＰ信号幅変化を補償するための手段を含む、請求項１１から１４のいずれか一項に記載の装置。
【請求項１６】
補償するための前記手段がサンプルレート変換を行なうようになっている、請求項１５に記載の装置。
【請求項１７】
リスケーリングされた出力信号に基づいて重畳ステップにより前記ＬＰＰ信号を計算するための手段を含む、請求項１１から１６のいずれか一項に記載の装置。
【請求項１８】
前記重畳ステップがＬＰＰ状のウェーブレットを含む、請求項１７に記載の装置。
【請求項１９】
ＬＰＰ信号の誤り率を計算して、前記出力信号のスケーリングを微調整するように前記誤り率を処理するための手段を含む、請求項１１から１８のいずれか一項に記載の装置。
【請求項２０】
前記誤り率を計算するための前記手段は、標準偏差技術を前記ＬＰＰ信号に適用するようになっている、請求項１９に記載の装置。
【発明の詳細な説明】
【技術分野】
【０００１】
本発明は、ランドプリピット（ＬＰＰ）信号処理方法および関連する装置に関する。
【背景技術】
【０００２】
ＤＶＤ−ＲディスクおよびＤＶＤ−ＲＷディスクなどの記録可能な光ディスクは、主にディスクアドレス指定情報を検出するため及び他の補助データを与えるために使用されるＬＰＰ信号を供給するようになっている。
【０００３】
ＬＰＰ信号は、光ディスクのランドに沿う所定の位置にエンボス加工された微細構造を備えるランドプリピットにより生成される。現在のＤＶＤ−ＲおよびＤＶＤ−ＲＷ記録システムにおいて、ＬＰＰ信号は、記録の前後の両方でディスクからの読み取り中に使用され、それにより、例えば、データブロックが書き込まれた物理アドレスが確認される。
【０００４】
しかしながら、ディスクからデータが読み取られる際のＬＰＰ信号の質は、不都合なことに、既知のように記録および再生中に光ディスクドライブの光ヘッドのトラッキングを支援するのに役立つ所謂ウォブル信号を供給するようになっている隣接するランドおよび溝から生じる高周波（ＨＦ）クロストークに主に起因して制限されることが分かった。
【０００５】
また、無線周波数（ＲＦ）アナログ信号に関して標準化されたプッシュプル信号を供給するような記録装置は、限られた範囲内でＬＰＰ信号を改善するのに役立ち得るが、それにもかかわらず、不都合な固有の自由度の欠如が存在する。また、記録システムにおけるそのような技術の制限は、ＨＦクロストーク信号におけるオフセットが適切に設定されていない場合に「ゼロで割る（ｄｉｖｉｄｅｄ  ｂｙ  ｚｅｒｏ）」問題を与える可能性があり不都合である。
【０００６】
生じる更なる欠点は、高速正規化がデジタル領域内での実施に問題があると分かる点である。
【発明の開示】
【発明が解決しようとする課題】
【０００７】
本発明は、ＬＰＰ信号処理方法および関連する装置であって、既知のそのような方法および装置を超える利点を有するＬＰＰ信号処理方法および関連する装置提供しようとするものである。
【課題を解決するための手段】
【０００８】
本発明の第１の態様においては、光ディスクの再生中にランドプリピット信号を生成する方法であって、
ランドプリピット信号を得ることができる出力信号を光検出器から得るステップと、
ディスクの読み取り中に生じる高周波クロストーク信号の決定された振幅に応じて前記出力信号をスケーリングし、それにより、ディスク上の１つのマークに対応するものとしてランドプリピット信号が識別されるときに前記出力信号を増大させるとともに、ディスク上の１つの空間に対応するものとしてランドプリピット信号が識別されるときに前記出力信号を減少させるステップと、
を含む方法が提供される。
【０００９】
本発明は、小さなＬＰＰ信号を正確に増大させる際に、あるいは、適切な場合にはＬＰＰ信号を減衰する際に有益である。ＨＦクロストーク信号の振幅に基づくＬＰＰ信号のリスケーリングにより、そのような増大および減衰を有利に行なうことができる。
【００１０】
したがって、本発明は、オフセットに依存しないリスケーリングプロセスを有利に提供することができ、一般にＬＰＰ信号において生じる標準偏差及び／又は誤り率を減少させるのに役立つ。
【００１１】
光検出器から得られる前記出力信号は、リスケーリングされるべきプッシュプル信号を備え、また、プッシュプル信号が平衡プッシュプル信号を備えていることが有益である。
【００１２】
前記平衡プッシュプル信号は、光検出器からのハイパスフィルタリングされたプッシュプル信号とハイパスフィルタリングされた高周波クロストーク信号との間の差から得られることが好ましい。
【００１３】
ＬＰＰ波形幅変化をサンプルレート変換器により補償できることが有益である。
【００１４】
方法は、ＬＰＰ状のウェーブレットと共にプッシュプル信号の重畳によりＬＰＰ信号を計算する際に更に有益である。
【００１５】
また、前記出力信号に適用される倍率は、ＬＰＰ信号中の誤り率を計算するのに役立つ標準偏差ステップにより微調整できる。
【００１６】
本発明の他の態様においては、光ディスクの再生中にＬＰＰ信号を生成するようになっているＬＰＰ信号処理装置であって、
ＬＰＰ信号を得ることができる出力信号を光検出器から得るための手段と、
ディスクの読み取り中に生じる高周波クロストーク信号の決定された振幅に応じて前記出力信号をスケーリングし、それにより、ディスク上の１つのマークに対応するものとしてランドプリピットが識別されるときに前記出力信号を増大させるとともに、ディスク上の１つの空間に対応するものとしてランドプリピットが識別されるときに前記出力信号を減少させるための手段と、
を備える装置が提供される。
【００１７】
本発明の方法の説明に関連して前述した更なる利点を装置が与えることができるように、更なる特徴を有利に与えることができる。
【００１８】
前述したように、本発明の方法および装置は、本発明の特に有利な実施形態において行なうことができるオフセットと無関係な処理およびＬＰＰ状のウェーブレット重畳により、特にＬＰＰ信号中の誤り率または標準偏差を減少させる際に特に有益である。
【００１９】
以下、単なる一例として、添付図面を参照しながら、本発明を更に説明する。
【発明を実施するための最良の形態】
【００２０】
図１を参照すると、光ディスク１０の一部の断面が示されている。この光ディスク１０にはデータを書き込むことができ、また、光ディスク１０は、光読み取り／書き込みヘッド（図示せず）によりデータマーク１４がその上に書き込まれる螺旋状の溝１２を備えており、これらの溝１２は螺旋状のランド１６により分離されている。図から分かるように、ランド１６の上縁には、いわゆるウォブル信号を与えるために配置された正弦波形態が形成されている。この信号は、光読み取り／書き込みヘッドにより検出されるようになっているとともに、光読み取り／書き込みヘッドの正確なトラッキングを支援するために使用されるが、これについては良く知られているため、ここでは更に説明しない。
【００２１】
ランド１６内にはランドプリピット（ＬＰＰ）１８，２０が示されており、これらのランドプリピットは、ランド１６内に設けられたエンボス構造を備えるとともに、データブロックが書き込まれるべき或いは書き込まれたディスク上の物理アドレスを識別するようになっているプリフォーマッティングアドレス指定スキームの一部を形成する。
【００２２】
したがって、ディスクを読み取る際には、データマーク１４およびランド１６の上縁の正弦波形態に直面することに加え、光読み取り／書き込みヘッドがＬＰＰ１８，２０と直面するときに出力信号も生成される。
【００２３】
しかしながら、特にディスクによって生成されるＨＦクロストークに起因して、特に低い光反射特性を示す長いデータマークに隣接してＬＰＰが位置しているときにＬＰＰから生み出された信号すなわち所謂ＬＰＰ信号を検出するのが困難だと分かり得ることが確認された。しかし、そのような問題は、ＬＰＰがディスク上の比較的長い空間に隣接して位置したときには生じない。
【００２４】
本発明においては、１つのマークに隣接して位置される際のＬＰＰ信号の振幅が増大される方法および装置が提供される。同様に、その振幅は、ＬＰＰが１つの空間に隣接して位置されることが確認されるときに、減衰によって減少させることができる。
【００２５】
そのようなＬＰＰ信号の有利なリスケーリングは、ディスクから読み取る際に直面するＨＦクロストーク信号の振幅に基づいていることが有益である。
【００２６】
したがって、図２に関しては、本発明の有利なＬＰＰ処理を行なうための装置の一例が示されている。
【００２７】
装置２２は、光読み取り／書き込みヘッド（図示せず）から得られる高周波クロストーク信号２８およびプッシュプル信号３０のハイパスフィルタリングを行なうようになっている同一の第１のハイパスフィルタ２４および第２のハイパスフィルタ２６を備えている。
【００２８】
ハイパスフィルタリングされたプッシュプル信号３０の出力は、その後、平衡プッシュプル信号３４を生成するようになっている差分ユニット３２に対して供給される。平衡プッシュプル信号３４は、乗算器３６へと供給され、この乗算器においてハイパスフィルタリングされたクロストーク信号２８と組み合わせられるとともに、係数を決定するための装置へ供給される。前記係数は、ハイパスフィルタリングされたクロストーク信号２８に対して差分ユニット３２への供給前に同様に適用される。
【００２９】
図示の実施形態において、係数（ＣＯＥＦ）は、乗算器３６から出力を受け且つ信号をＰＩコントローラ４０へ供給するようになっている積分・ダンプユニット３８によって決定される。しかしながら、他の方法として、積分・ダンプユニット３８の代わりにローパスフィルタを使用できることは良いことは言うまでもない。なお、乗算器３６における前述した乗算を簡略化するために、ＨＦクロストーク信号２８の符号ビットを使用することができる。
【００３０】
ＰＩコントローラ４０から得られる前記係数は、前述したようにハイパスフィルタリングされたクロストーク信号２８に対して適用されるとともに、平衡プッシュプル信号３４が得られる差分ユニット３２に供給される結果に対して適用される。
【００３１】
ピーク・ボトム検出ユニット４２は、ハイパスフィルタ２４からの出力すなわちハイパスフィルタリングされたクロストーク信号２８を受けるとともに、ハイパスフィルタリングされたクロストーク信号２８のピークおよびボトムを検出するようになっている。この検出ユニット４２の出力は、倍率選択ユニット４４により平衡プッシュプル信号３４に対して適用される倍率を制御するために使用される。
【００３２】
図２に示されるように、倍率選択ユニット４４は、乗算器４６において倍率信号を平衡プッシュプル信号３４に対して印加し、また、乗算器からの出力はサンプルレート変換器４８に対して供給される。
【００３３】
サンプルレート変換器４８は、定角速度（ＣＡＶ）システムで生じ得る変化を伴うＬＰＰ波形を補償するために有利に使用される。そのとき得られる信号は、リスケーリングされた平衡プッシュプル信号およびＬＬＰ状のウェーブレットＷの畳み込みを行なうようになっている重畳ユニット５０により最終的なＬＰＰ信号を生成するために与えられる。この場合、ウェーブレットＷは、ＬＰＰ信号の理想的な波形を表わしている。Ｗｋにより示されるウェーブレットの全長は、光ディスクドライブの記録速度およびサンプリングレートによって有利に決定される。
【００３４】
前述したように、重畳の結果は所要のＬＰＰ信号５２として出力され、このＬＰＰ信号５２はＬＰＰ検出・標準偏差ユニット５４に対して有利に供給される。ＬＰＰ検出・標準偏差ユニット５４からは１つの信号を得ることができ、この信号はデジタル信号プロセッサ５６または他の適切なデジタルハードウェアにより使用される。これは、ハイパスフィルタリングされたプッシュプル信号３４に対して乗算器４６で適用される倍率を微調整するために倍率選択ユニット４４に対して印加できる微調整信号を与えるのに役立つ。ＬＰＰ検出・標準偏差ユニット５４は、そのような微調整を行なうためにＬＰＰ信号５２内の誤り率を計算するようになっていることが有益である。
【００３５】
倍率選択ユニット４４は、高周波クロストーク信号２８の振幅が大きくなればなるほど平衡プッシュプル信号３４に対して適用される倍率が小さくなるように動作する。
【００３６】
以上から分かるように、図示の実施形態では、ＨＦクロストーク信号の振幅に基づいて平衡プッシュプル信号がリスケーリングされ、それにより、ディスク上の長いマークに隣接する比較的小さいＬＰＰ信号が増大される一方で、ディスク上の長い空間に隣接して位置される比較的大きいＬＰＰ信号が減衰される。
【００３７】
前述した倍率の微調整は、方法および装置の自由度を高めるとともに、オフセットに依存しておらず有益である。
【００３８】
また、従来技術において直面する「ゼロで割る」問題も生じることがなく有益である。
【００３９】
ＬＰＰ信号の誤り率または標準偏差が本発明にしたがって著しく減少され有益である。
【００４０】
ここで、本発明に係る読み取りモードにおけるＬＰＰ検出の誤り率の有利な減少の更なる説明として、図３Ａおよび図３Ｂを参照する。
【００４１】
図３Ａは、従来技術に係る読み取りモード中に光ディスクから得られる信号のトレースを示している。トレース５８ａの中心はウォブル信号を表わしており、信号スパイク６０ａ，６２ａは、ディスクのＬＰＰにより生成されるＬＰＰ信号を表わしている。
【００４２】
容易に識別できるＬＰＰ信号６０ａは、ディスクの長い空間に隣接して位置されるＬＰＰから生じる信号である。ウォブル信号の中で殆ど失われている小さい振幅のＬＰＰ信号６２ａは、ディスクの比較的長いマークに隣接してＬＰＰが位置されるときに生じる信号である。
【００４３】
ここで、図３Ｂを参照すると、本発明にしたがって得られる対応する信号が示されており、この信号も同様に中心ウォブル信号５８Ｂを示している。しかしながら、前述した信号増大および信号減衰を考慮すると、比較的長いマークに隣接して位置されるＬＰＰおよび光ディスク上の比較的長い空間に隣接するＬＰＰの両方に関して両方のＬＰＰ信号６０ｂ、６２ａを容易に識別できるのが分かる。
【００４４】
ＬＰＰ信号をウォブル信号から容易に識別できる態様を考慮すると、特に読み取りモードでＬＰＰ信号に関連する誤り率が大幅に減少されて有益であるのが分かる。
【図面の簡単な説明】
【００４５】
【図１】本発明にしたがって処理するための信号を生成するようになっている光ディスクの部分断斜視図である。
【図２】本発明の利点を得るための装置の概略ブロック図である。
【図３】図３Ａおよび図３Ｂは本発明により達成される有利なＬＰＰ処理を示すトレースを表わしている。
【符号の説明】
【００４６】
１０  光ディスク
１２  溝
１４  データマーク
１６  ランド
１８、２０  ランド
２４、２６  ハイパスフィルタ
３２  差分ユニット
３６  乗算器
３８  積分・ダンプユニット
４０  ＰＩコントローラ
４２  ピーク・ボトム検出ユニット
４４  倍率選択ユニット
４６  乗算器
４８  サンプルレート変換器
５０  重畳ユニット
５４  ＬＰＰ検出・標準偏差ユニット
【図１】
2008503020.tif 000003
【図２】
2008503020.tif 000004
【図３Ａ】
2008503020.tif 000005
【図３Ｂ】
2008503020.tif 000006
【国際調査報告】
2008503020.tif 000007
2008503020.tif 000008